(57)【要約】【課題】照明装置内において湿気に起因して発生し得る劣化又は故障を高い精度で判定又は防止することができる照明装置を提供する。【解決手段】照明装置１は、器具筐体１ｃと、器具筐体１ｃの内部に配置されて器具筐体１ｃの外部を照射する光源１０と、器具筐体１ｃの内部に配置されて光源１０に電力を供給する点灯装置２０と、器具筐体１ｃの内部に配置されて器具筐体１ｃの内部の湿度を検出して検出湿度を出力する湿度検出回路３０と、検出湿度が閾値を超えたことに基づく計測値の積算値を記憶部４１に記憶させる積算値取得部４４及び積算値が所定値に達した場合に報知信号を生成する報知決定部４５を含む制御回路４０と、報知信号に応じて所定の報知動作を実行する報知部５０とを備える。【選択図】  図１
2019160594.tif 000002
【特許請求の範囲】
【請求項１】
照明装置であって、
器具筐体と、
前記器具筐体内に配置され、該器具筐体外を照射する光源と、
前記器具筐体内に配置され、前記光源に電力を供給する点灯装置と、
前記器具筐体内に配置され、該器具筐体内の湿度を検出して検出湿度を出力する湿度検出回路と、
前記検出湿度が閾値を超えたことに基づく計測値の積算値を記憶部に記憶させる積算値取得部及び前記積算値が所定値に達した場合に報知信号を生成する報知決定部を含む制御回路と、
前記報知信号に応じて所定の報知動作を実行する報知部と
を備える照明装置。
【請求項２】
前記積算値取得部が、前記検出湿度が前記閾値を超えた時間の積算時間を前記積算値として取得するように構成された、請求項１に記載の照明装置。
【請求項３】
前記積算値取得部が、前記検出湿度が前記閾値を超えた回数の積算値を前記積算値として取得するように構成された、請求項１に記載の照明装置。
【請求項４】
前記積算値取得部が、前記検出湿度が前記閾値を超えた時間にわたる前記検出湿度の積分値を前記積算値として取得するように構成された、請求項１に記載の照明装置。
【請求項５】
前記積算値取得部が、前記検出湿度が前記閾値を超える時間を前記計測値として取得するように構成され、前記報知決定部が、１回当たりの前記時間が限度値を超えた時点で前記報知信号を生成するように構成された、請求項１から４のいずれか一項に記載の照明装置。
【請求項６】
前記湿度検出回路が前記点灯装置の筐体内に含まれる、請求項１から５のいずれか一項に記載の照明装置。
【請求項７】
前記制御回路が、前記報知信号の生成に応じて前記光源を減光点灯させるように前記点灯装置を制御する減光制御部をさらに含む、請求項１から６のいずれか一項に記載の照明装置。
【請求項８】
前記制御回路が、前記報知信号の生成から所定時間の経過後に前記光源を消灯させるように前記点灯装置を制御する消灯制御部をさらに含む、請求項１から７のいずれか一項に記載の照明装置。
【請求項９】
照明装置及びクラウドサーバを備える照明監視システムであって、
前記照明装置が、
器具筐体と、
前記器具筐体内に配置され、該器具筐体外を照射する光源と、
前記器具筐体内に配置され、前記光源に電力を供給する点灯装置と、
前記器具筐体内に配置され、該器具筐体内の湿度を検出して検出湿度を出力する湿度検出回路と、
前記クラウドサーバと通信可能に構成された装置通信部と、
前記検出湿度を前記装置通信部から前記クラウドサーバに送信させる通信制御部を含む制御回路と
を備え、
前記クラウドサーバが、
前記照明装置と通信可能に構成され、前記検出湿度を前記照明装置から受信するサーバ通信部と、
前記検出湿度が閾値を超えたことに基づく計測値の積算値を記憶装置に記憶させる積算値取得部及び前記積算値が所定値に達した場合に報知情報を生成する報知決定部を含む処理装置と、
前記報知情報を表示する表示装置と
を備える、照明監視システム。
【請求項１０】
照明装置及びクラウドサーバを備える照明監視システムであって、
前記照明装置が、
器具筐体と、
前記器具筐体内に配置され、該器具筐体外を照射する光源と、
前記器具筐体内に配置され、前記光源に電力を供給する点灯装置と、
前記器具筐体内に配置され、該器具筐体内の湿度を検出して検出湿度を出力する湿度検出回路と、
前記クラウドサーバと通信可能に構成された装置通信部と、
前記検出湿度が閾値を超えたことに基づく計測値の積算値を記憶部に記憶させる積算値取得部及び前記積算値を前記装置通信部から前記クラウドサーバに送信させる通信制御部を含む制御回路と
を備え、
前記クラウドサーバが、
前記照明装置と通信可能に構成され、前記積算値を前記クラウドサーバから受信するサーバ通信部と、
前記積算値が所定値に達した場合に報知情報を生成する報知決定部を含む処理装置と、
前記報知情報を表示する表示装置と
を備える、照明監視システム。
【請求項１１】
前記積算値取得部が、前記検出湿度が前記閾値を超えた時間の積算時間を前記積算値として取得するように構成された、請求項９又は１０に記載の照明監視システム。
【請求項１２】
前記積算値取得部が、前記検出湿度が前記閾値を超えた回数の積算値を前記積算値として取得するように構成された、請求項９又は１０に記載の照明監視システム。
【請求項１３】
前記積算値取得部が、前記検出湿度が前記閾値を超えた時間にわたる前記検出湿度の積分値を前記積算値として取得するように構成された、請求項９又は１０に記載の照明監視システム。
【請求項１４】
前記積算値取得部が、前記検出湿度が前記閾値を超える時間を前記計測値として取得するように構成され、前記報知決定部が、１回当たりの前記時間が限度値を超えた時点で前記報知信号を生成するように構成された、請求項９から１３のいずれか一項に記載の照明監視システム。
【請求項１５】
前記湿度検出回路が前記点灯装置の筐体内に含まれる、請求項９から１４のいずれか一項に記載の照明監視システム。
【請求項１６】
前記クラウドサーバが、前記報知情報の生成に応じて減光指令を生成する減光指令部をさらに備え、
前記サーバ通信部が前記減光指令を送信し、前記装置通信部が前記減光指令を受信するように構成され、
前記制御回路が、前記減光指令に応じて前記光源を減光点灯させるように前記点灯装置を制御する減光制御部をさらに含む、請求項９から１５のいずれか一項に記載の照明監視システム。
【請求項１７】
前記クラウドサーバが、前記報知情報の生成から所定時間の経過後に消灯指令を生成する消灯指令部をさらに備え、
前記サーバ通信部が前記消灯指令を送信し、前記装置通信部が前記消灯指令を受信するように構成され、
前記制御回路が、前記消灯指令に応じて前記光源を消灯させるように前記点灯装置を制御する消灯制御部をさらに含む、請求項９から１６のいずれか一項に記載の照明監視システム。
【発明の詳細な説明】
【技術分野】
【０００１】
本発明は、照明装置及び照明監視システムに関する。
【背景技術】
【０００２】
特許文献１は、自己診断を行うＬＥＤベース照明モジュールを開示する。ＬＥＤベース照明モジュールは、実際の動作状態から検出された温度、電流、湿度などの増減補正因子を用いて、照明モジュールの動作の累積経過時間をスケーリングすることにより、照明モジュールの寿命を推定するように構成される。特許文献２は、照明器具の長時間使用時の劣化を検出する配電システムを開示する。ＬＥＤ照明端末に直流電力を供給する直流系機器ユニットは、電流検出部によって直流電力の供給開始直後に流れる突入電流を検出し、制御回路部によって、突入電流の初期値と現在の計測値との差が所定の基準値を下回った場合にＬＥＤ照明端末が劣化したものと判定する。また、通信部などが、ネットワークを介して照明端末の劣化状況を外部のシステム管理者、使用者などに送信する。
【先行技術文献】
【特許文献】
【０００３】
【特許文献１】特許第５８０１３８９号公報
【特許文献２】特開２０１２−１７５７５１号公報
【発明の概要】
【発明が解決しようとする課題】
【０００４】
ところで、ＬＥＤ照明装置においては、その器具開閉部の密閉構造、ＬＥＤモジュールの防水処理コーティング、点灯装置の回路基板の樹脂充填又は防湿コーティングなどによる湿気対策がとられる。しかし、上記湿気対策が施されていたとしても、昼夜の温度変化の大きい時間帯において、その温度変化に起因して器具筐体内が高湿状態となる場合がある。そして、照明装置内の各部がその高湿状態に長時間にわたって曝されることによって、上記の湿気対策における劣化が進行し、その防湿効果が減殺されることがある。そのため、水分によるＬＥＤの腐食、樹脂材料の水分拡散、回路基板のイオンマイグレーションなどによる絶縁破壊がもたらされ得る。また、器具開閉部の密閉性が低下すると、湿気又は雨水が浸入し易くなり、更なる異常が発生し得る。
【０００５】
特許文献１の構成によると、照明装置の筐体外部のＬＥＤモジュールに配置された湿度センサによる検知結果に基づいてＬＥＤの寿命判定が行われるので、照明装置内の湿気に起因して発生し得る照明装置各部の劣化又は故障を判定又は防止することはできない。また、特許文献２の構成によると、湿度などに起因して起こり得る照明装置の寿命の短縮がコンデンサの突入電流値の検出によって判定されるので、コンデンサに代表される電子部品以外の部位で進行する照明装置各部の劣化又は故障を判定又は防止することはできない。すなわち、いずれの場合においても、照明装置における劣化判定又は故障防止の精度が低いという問題があった。
【０００６】
そこで、本発明は、照明装置内において湿気に起因して発生し得る劣化又は故障を高い精度で判定又は防止することができる照明装置及び照明監視システムを提供することを課題とする。
【課題を解決するための手段】
【０００７】
本発明の第１の態様による照明装置は、器具筐体と、器具筐体内に配置されて器具筐体外を照射する光源と、器具筐体内に配置されて光源に電力を供給する点灯装置と、器具筐体内に配置されて器具筐体内の湿度を検出して検出湿度を出力する湿度検出回路と、検出湿度が閾値を超えたことに基づく計測値の積算値を記憶部に記憶させる積算値取得部及び積算値が所定値に達した場合に報知信号を生成する報知決定部を含む制御回路と、報知信号に応じて所定の報知動作を実行する報知部とを備える。
【０００８】
上記第１の態様による照明装置によると、器具筐体内の湿度が検出され、検出湿度が閾値を超えたことに基づく計測値の積算値が所定値に達した場合に報知信号が生成され、報知信号に応じて所定の報知動作が実行される。これにより、照明装置内において湿気に起因して発生し得る劣化又は故障を高い精度で判定又は防止することができる照明装置が実現される。
【０００９】
本発明の第２の態様による照明監視システムは、照明装置及びクラウドサーバを備える。照明装置は、器具筐体と、器具筐体内に配置されて器具筐体外を照射する光源と、器具筐体内に配置されて光源に電力を供給する点灯装置と、器具筐体内に配置されて器具筐体内の湿度を検出して検出湿度を出力する湿度検出回路と、クラウドサーバと通信可能に構成された装置通信部と、検出湿度を装置通信部からクラウドサーバに送信させる通信制御部を含む制御回路とを備える。クラウドサーバは、照明装置と通信可能に構成されて検出湿度を照明装置から受信するサーバ通信部と、検出湿度が閾値を超えたことに基づく計測値の積算値を記憶装置に記憶させる積算値取得部及び積算値が所定値に達した場合に報知情報を生成する報知決定部を含む処理装置と、報知情報を表示する表示装置とを備える。
【００１０】
上記第２の態様による照明監視システムによると、照明装置において、器具筐体内の湿度が検出され、クラウドサーバにおいて、検出湿度が閾値を超えたことに基づく計測値の積算値が所定値に達したことが特定された場合に報知情報が生成及び表示される。これにより、照明装置内において湿気に起因して発生し得る劣化又は故障をクラウドサーバにおいて高い精度で判定又は防止することができる照明監視システムが実現される。
【００１１】
本発明の第３の態様による照明監視システムは、照明装置及びクラウドサーバを備える。照明装置は、器具筐体と、器具筐体内に配置されて器具筐体外を照射する光源と、器具筐体内に配置されて光源に電力を供給する点灯装置と、器具筐体内に配置されて器具筐体内の湿度を検出して検出湿度を出力する湿度検出回路と、クラウドサーバと通信可能に構成された装置通信部と、検出湿度が閾値を超えたことに基づく計測値の積算値を記憶部に記憶させる積算値取得部及び積算値を装置通信部からクラウドサーバに送信させる通信制御部を含む制御回路とを備える。クラウドサーバは、照明装置と通信可能に構成されて積算値をクラウドサーバから受信するサーバ通信部と、積算値が所定値に達した場合に報知情報を生成する報知決定部を含む処理装置と、報知情報を表示する表示装置とを備える。
【００１２】
上記第３の態様による照明監視システムによると、照明装置において、器具筐体内の湿度が検出され、検出湿度が閾値を超えたことに基づく計測値の積算値が取得され、クラウドサーバにおいて、積算値が所定値に達したことが特定された場合に報知情報が生成及び表示される。これにより、照明装置内において湿気に起因して発生し得る劣化又は故障をクラウドサーバにおいて高い精度で判定又は防止することができる照明監視システムが実現される。さらに、検出湿度が閾値を超える場合にのみ照明装置からクラウドサーバへの通信が行われるので、第２の態様と比較して通信量が軽減される。
【００１３】
上記第１乃至第３の態様において、積算値取得部は、検出湿度が閾値を超えた時間の積算時間を積算値として取得するように構成され得る。これにより、器具筐体内が長時間にわたって高湿状態に曝されることに応じて報知動作が実行されるので、直接的な劣化判定又は故障防止が可能となる。
【００１４】
上記第１乃至第３の態様において、積算値取得部は、検出湿度が閾値を超えた回数の積算値を積算値として取得するように構成されてもよい。これにより、器具筐体内の湿度サイクルに起因して発生し得る劣化又は故障の判定又は防止が可能となる。
【００１５】
上記第１乃至第３の態様において、積算値取得部は、検出湿度が閾値を超えた時間にわたる検出湿度の積分値を積算値として取得するように構成されてもよい。これにより、器具筐体内の湿度曝露量に基づいて報知動作が実行されるので、精度の高い劣化判定又は故障防止が可能となる。
【００１６】
上記第１乃至第３の態様において、積算値取得部が、検出湿度が閾値を超える時間を計測値として取得するように構成され、報知決定部が、１回当たりの時間が限度値を超えた時点で報知信号又は報知情報を生成するように構成されてもよい。これにより、照明装置における漏水、水没などの異常発生の推定が可能となり、早期の故障防止が可能となる。
【００１７】
上記第１乃至第３の態様において、湿度検出回路は、点灯装置の筐体内に含まれていてもよい。これにより、点灯装置の高精度な劣化判定又は故障防止が可能となる。
【００１８】
上記第１の態様において、制御回路は、報知信号の生成に応じて光源を減光点灯させるように点灯装置を制御する減光制御部をさらに含んでいてもよい。また、上記第２又は第３の態様において、クラウドサーバが、報知情報の生成に応じて減光指令を生成する減光指令部をさらに備え、サーバ通信部が減光指令を送信し、装置通信部が減光指令を受信するように構成され、制御回路が、減光指令に応じて光源を減光点灯させるように点灯装置を制御する減光制御部をさらに含んでいてもよい。これにより、報知動作後における劣化の進行が軽減され、照明装置の修理又は交換までに発生し得る故障を防止することができる。
【００１９】
上記第１の態様において、制御回路は、報知信号の生成から所定時間の経過後に光源を消灯させるように点灯装置を制御する消灯制御部をさらに含んでいてもよい。また、上記第２又は第３の態様において、クラウドサーバが、報知情報の生成から所定時間の経過後に消灯指令を生成する消灯指令部をさらに備え、サーバ通信部が消灯指令を送信し、装置通信部が消灯指令を受信するように構成され、制御回路が、消灯指令に応じて光源を消灯させるように点灯装置を制御する消灯制御部をさらに含んでいてもよい。これにより、報知動作後において、照明装置の修理又は交換が遅延した場合に発生し得る故障の拡大を防止することができる。
【図面の簡単な説明】
【００２０】
【図１】第１の実施形態による照明装置のブロック図である。
【図２】第１の実施形態の第１変形例による照明装置のブロック図である。
【図３】第１の実施形態の第２変形例による照明装置のブロック図である。
【図４】第２の実施形態による照明監視システムのブロック図である。
【図５】第３の実施形態による照明監視システムのブロック図である。
【発明を実施するための形態】
【００２１】
＜第１の実施形態＞
図１に、本発明の第１の実施形態による照明装置１のブロック図を示す。照明装置１は、光源１０、点灯装置２０、湿度検出回路３０、制御回路４０及び報知部５０を備える。照明装置１は器具筐体１ｃを有し、光源１０、点灯装置２０、湿度検出回路３０及び制御回路４０は器具筐体１ｃ内に含まれる。報知部５０は、後述する所望の機能が実行可能である限り、器具筐体１ｃの外部にあってもよいし、内部にあってもよい。器具筐体１ｃは、例えば、略直方体形状であり、その５面が箱型の本体で構成され、残りの１面が平板状の透明板で構成される。本体は、金属板で形成され、透明板は光を透過する平板（例えば、ガラス板）で形成される。透明板は、本体に対して開閉可能に構成され、閉状態で内部を密閉するように構成される。ただし、上述したように、このような密閉構造が採用されていても、寒暖の変化に起因して器具筐体１ｃの内部に湿気が発生し得る。
【００２２】
また、照明装置１には商用電源などの交流電源が供給され、この交流電源によって点灯装置２０が動作する。湿度検出回路３０及び制御回路４０は、交流電源を低電圧直流電源に変換する補助電源回路（不図示）によって給電されて動作するようにしてもよいし、一次電池、二次電池などの電池（不図示）によって給電されて動作するようにしてもよい。湿度検出回路３０及び制御回路４０が補助電源回路によって給電される場合でかつ交流電源が原則としてオン／オフされない場合（すなわち、常時通電される場合）、点灯装置２０の出力動作のオン／オフによって光源１０の点灯／消灯が行われる。この場合、光源１０の点灯期間及び消灯期間の双方において、後述の湿度検出回路３０及び制御回路４０の動作が実行される。一方、湿度検出回路３０及び制御回路４０が補助電源回路によって給電される場合でかつ交流電源がオン／オフされる場合には、光源１０の点灯期間（又は点灯装置２０の動作期間）にのみ、後述の湿度検出回路３０及び制御回路４０の動作が実行される。
【００２３】
光源１０は、本実施形態では、基板上に複数のＬＥＤが直列又は直並列に接続されたＬＥＤモジュールである。光源１０は、器具筐体１ｃ内に配置され、上記透明板を介して器具筐体１ｃの外部を照射するように配置される。
【００２４】
点灯装置２０は、整流回路２１、電力変換回路２２及び駆動制御回路２３を含む。これらの回路は、点灯装置２０の筐体内において基板に実装される。整流回路２１は、交流電源を直流電圧に全波整流する。電力変換回路２２は、本実施形態ではＤＣ／ＤＣコンバータであり、整流回路２１の整流出力を所定の直流出力電流に変換し、この出力電流を光源１０に供給する。駆動制御回路２３は、電力変換回路２２の動作状態又は出力電流値を制御する（例えば、定電流制御する）。
【００２５】
湿度検出回路３０は、湿度センサ３１及び検知出力部３２を含む。湿度センサ３１は、器具筐体１ｃの内部の湿度を検知するための素子である。湿度センサ３１は、湿度に応じて抵抗値が変化する高分子抵抗式のものであってもよいし、湿度に応じて静電容量値が変化する高分子静電容量式のものであってもよい。検知出力部３２は、湿度センサ３１の抵抗値又は静電容量値に応じた電圧を検出湿度として制御回路４０に出力する。なお、湿度検出回路３０によって出力される検出湿度は相対湿度（％ＲＨ）であってもよいし、絶対湿度（ｋｇ／ｋｇ）であってもよいが、本実施形態では相対湿度が用いられるものとする。
【００２６】
制御回路４０は、マイコンなどで構成され、記憶部４１及びＣＰＵ４２を含む。記憶部４１は、データ、プログラムなどを記憶するＲＯＭ、ＲＡＭなどのメモリを含み、不揮発性メモリを含む。ＣＰＵ４２は、計測部４３、積算値取得部４４及び報知決定部４５を含む。計測部４３は、タイマ又はカウンタである。制御回路４０内の各部は、データ又は信号のやりとりが可能な態様で接続される。なお、ＣＰＵ４２は、計測部４３、積算値取得部４４及び報知決定部４５の機能以外にも、一般的なＣＰＵの機能を実行可能なものとする。
【００２７】
積算値取得部４４は、湿度検出回路３０によって検出された検出湿度が閾値を超えたことに基づく計測値の積算値を記憶部４１に記憶させる。ここで、閾値は、例えば８５％ＲＨなどであればよいが、これに限定されない。検出湿度が閾値を超えたことに基づく計測値の積算値の例を、以下の（１）〜（３）に示す。
【００２８】
（１）積算時間
例えば、計測値は、検出湿度が閾値を超えた時間（時間長）である。この場合、積算値取得部４４は、検出湿度が閾値を超えた時点で計測部４３を作動させ、増分していくタイマ値を記憶部４１に記憶させる。これにより、検出湿度が閾値を超えた積算時間が積算値として取得される。
【００２９】
（２）積算回数
あるいは、計測値は、検出湿度が閾値を超えた回数であってもよい。この場合、積算値取得部４４は、検出湿度が閾値を超えた時点で、計測部４３を用いて記憶部４１に記憶されているカウンタ値を増分させる。これにより、検出湿度が閾値を超えた積算回数が積算値として取得される。なお、ノイズの影響を回避するために、検出湿度が所定時間以上にわたって閾値を超えた回数が計測値として採用されるようにしてもよい。
【００３０】
（３）湿度積分値
あるいは、計測値は、検出湿度が閾値を超えた時間にわたる検出湿度の積分値であってもよい。この場合、例えば、積算値取得部４４は、検出湿度が閾値を超えた時点で計測部４３を用いて単位時間を規定し、単位時間当たり検出湿度を記憶部４１に記憶されている積算値に逐次加算していく。これにより、検出湿度が閾値を超えた時間にわたる検出湿度の積分値が積算値として取得される。この場合の閾値は、上記（１）の積算時間及び（２）の積算回数の場合の閾値以下の値であってもよく、例えば０％ＲＨなどであってもよい（すなわち、実質的に全期間の検出湿度の積分値が積算値として得られるようにしてもよい）。また、検出湿度が閾値を超えた時間にわたる検出湿度の積分値は、検出湿度と閾値との差分の積分値であってもよいし、検出湿度と閾値以外の値（例えばゼロ）との差分の積分値であってもよい。
【００３１】
報知決定部４５は、積算値取得部４４によって取得された積算値が所定値に達した場合に、照明装置１に劣化が発生する可能性があるものと判定して報知信号を生成する。この所定値は、上記（１）の場合は規定時間であり、上記（２）の場合は規定回数であり、上記（３）の場合は規定積分値であり、それぞれ実験、統計データなどに基づいて予め決定される。また、報知決定部４５は、上記（１）の積算時間に基づく判定結果、上記（２）の積算回数に基づく判定結果及び（３）の湿度積分値に基づく判定結果の論理積又は論理和に基づいて報知信号を生成するようにしてもよい。
【００３２】
また、積算値取得部４４が上記（１）と同様に計測値として時間を取得するように構成される場合、報知決定部４５は、１回当たりの当該時間が限度値を超えた時点で、異常の発生（例えば、器具筐体１ｃの密閉構造の損壊による器具筐体１ｃへの漏水、器具筐体１ｃの水没など）とみなして報知信号を生成するように構成されてもよい。なお、上記の（１）〜（３）の判定結果に基づく報知信号は一旦発動されるとその後の状態にかかわらず継続するが、この異常の発生に基づく報知信号は発動された後に異常が除去された場合には停止され得る。
【００３３】
報知部５０は、報知信号に応じて所定の報知動作を実行する。報知部５０は、光源（例えばＬＥＤインジケータ）、無線送信部などである。報知部５０がＬＥＤインジケータである場合、そのＬＥＤインジケータが報知信号の有無に応じて異なる発光態様で動作するように構成される。例えば、報知信号の無／有に応じて、ＬＥＤインジケータは、それぞれ消灯／点灯、消灯／点滅、点灯／点滅、点灯／消灯、点滅／消灯、点滅／点灯、ある周波数での点滅／他の周波数での点滅などとなるように制御され得る。また、報知部５０が無線送信部である場合、その無線送信部によって報知情報が保守会社の端末、管理センタの端末、その職員の携帯端末などに送信され、関連する作業員が照明装置１の劣化発生の可能性を認識できるように構成される。
【００３４】
以上のように、本実施形態の照明装置１は、器具筐体１ｃと、器具筐体１ｃの内部に配置されてその外部を照射する光源１０と、器具筐体１ｃの内部に配置されて光源１０に電力を供給する点灯装置２０と、器具筐体１ｃの内部に配置されてその内部の湿度を検出して検出湿度を出力する湿度検出回路３０と、検出湿度が閾値を超えたことに基づく計測値の積算値を記憶部４１に記憶させる積算値取得部４４及び積算値が所定値に達した場合に報知信号を生成する報知決定部４５を含む制御回路４０と、報知信号に応じて所定の報知動作を実行する報知部５０とを備える。
【００３５】
このように、器具筐体１ｃの内部の湿度が検出され、検出湿度が閾値を超えたことに基づく計測値の積算値が所定値に達した場合に報知信号が生成され、報知信号に応じて所定の報知動作が実行される。これにより、照明装置１の内部において湿気に起因して発生し得る劣化又は故障を高い精度で判定又は防止することができる照明装置１が実現される。
【００３６】
ここで、積算値取得部４４は、検出湿度が閾値を超えた時間の積算時間を積算値として取得するように構成され得る。これにより、器具筐体１ｃ内部が長時間にわたって高湿状態に曝されることに応じて報知動作が実行されるので、直接的な劣化判定又は故障防止が可能となる。
【００３７】
また、積算値取得部４４は、検出湿度が閾値を超えた回数の積算値を積算値として取得するように構成されてもよい。これにより、器具筐体１ｃ内部での湿度サイクルに起因して発生し得る劣化又は故障の判定又は防止が可能となる。
【００３８】
また、積算値取得部４４は、検出湿度が閾値を超えた時間にわたる検出湿度の積分値を積算値として取得するように構成されてもよい。これにより、器具筐体１ｃ内部の湿度曝露量に基づいて報知動作が実行されるので、精度の高い劣化判定又は故障防止が可能となる。
【００３９】
またさらに、積算値取得部４４が、検出湿度が閾値を超える時間を計測値として取得するように構成され、報知決定部４５が、１回当たりの時間が限度値を超えた時点で報知信号を生成するように構成されてもよい。これにより、照明装置１における漏水、水没などの異常発生の推定が可能となり、早期の故障防止が可能となる。
【００４０】
＜第１の実施形態の第１変形例＞
上記実施形態では、湿度検出回路３０及び制御回路４０が点灯装置２０の外部に配置される構成を示したが、湿度検出回路３０及び制御回路４０のうちの少なくとも湿度検出回路３０が点灯装置２０に含まれてもよい。
【００４１】
図２に、本変形例の照明装置１のブロック図を示す。図２に示すように、湿度検出回路３０及び制御回路４０が、点灯装置２０の金属製の筐体２０ｃに含まれる。上述した整流回路２１、電力変換回路２２、駆動制御回路２３、湿度検出回路３０及び制御回路４０が、筐体２０ｃに内包される。なお、駆動制御回路２３及び制御回路４０は、相互の回路部分を共有してもよく、例えば１つのマイコンを共有してもよい。
【００４２】
このように、本変形例によると、湿度検出回路３０が、点灯装置２０の筐体２０ｃ内部に配置されるので、点灯装置２０についての高精度な劣化判定又は故障防止が可能となる。また、制御回路４０も点灯装置２０に含まれることによって、駆動制御回路２３と制御回路４０の回路の共有化によって照明装置１全体として回路構成が簡素化される。
【００４３】
＜第１の実施形態の第２変形例＞
上記実施形態では、制御回路４０が点灯装置２０とは独立して設けられる構成を示したが、制御回路４０が点灯装置２０の動作を制御できるように構成されてもよい。なお、本変形例は、上記第１変形例と組み合わされてもよい。
【００４４】
図３に、本変形例の照明装置１のブロック図を示す。図３に示すように、制御回路４０のＣＰＵ４２は、計測部４３、積算値取得部４４及び報知決定部４５に加えて、減光制御部４６及び消灯制御部４７を含む。減光制御部４６及び消灯制御部４７は、点灯装置２０の駆動制御回路２３に接続される。なお、減光制御部４６又は消灯制御部４７のいずれか一方のみが設けられてもよい。
【００４５】
減光制御部４６は、報知決定部４５による報知信号の生成に応じて光源１０を減光点灯させるように点灯装置２０（駆動制御回路２３）を制御する。これにより、報知動作後における劣化の進行が軽減され、照明装置１の修理又は交換までに発生し得る故障を防止することができる。
【００４６】
消灯制御部４７は、報知信号の生成から所定時間（例えば、１日〜１０日程度）の経過後に光源１０を消灯させるように点灯装置２０（駆動制御回路２３）を制御する。これにより、報知動作後において、照明装置１の修理又は交換が遅延した場合に発生し得る故障の拡大（発煙、発火など）を防止することができる。
【００４７】
＜第２の実施形態＞
上記第１の実施形態では、報知動作を行うように構成された照明装置を示したが、本実施形態では、照明装置から検出湿度の情報を受信したクラウドサーバが報知動作を行うように構成された照明監視システムを示す。
【００４８】
図４に、本実施形態の照明監視システム３のブロック図を示す。本実施形態において、第１の実施形態と実質的に同様の構成には同じ符号を付し、重複する説明を省略又は簡略化する。照明監視システム３は、複数の照明装置１Ａ及びクラウドサーバ２Ａを含む。各照明装置１Ａとクラウドサーバ２Ａとは、インターネット、ＶＰＮなどのネットワークＮを介して通信可能に接続される。なお、説明の便宜上、クラウドサーバ２Ａは、ネットワークＮ外に図示されるが、クラウド上にあるのと同義に解釈され得る。
【００４９】
照明装置１Ａは、光源１０、点灯装置２０、湿度検出回路３０、制御回路４０Ａ及び通信部６０（装置通信部）を備える。第１の実施形態の第１変形例と同様に、湿度検出回路３０又は制御回路４０Ａは、点灯装置２０の筐体内に配置されてもよい。通信部６０は、ネットワークＮを介してクラウドサーバ２Ａと通信可能に構成された無線通信機であり、器具筐体１ｃの内部又は外部に適宜配置される。
【００５０】
制御回路４０ＡのＣＰＵ４２Ａは、通信制御部４８を含み、必要に応じて減光制御部４６及び消灯制御部４７を含む。通信制御部４８は、湿度検出回路３０によって検出された検出湿度をクラウドサーバ２Ａに送信するように通信部６０を制御する。
【００５１】
クラウドサーバ２Ａは、通信部７０（サーバ通信部）、記憶装置７５、処理装置８０Ａ及び表示装置９０を備える。通信部７０は、ネットワークＮを介して照明装置１Ａと通信可能に構成され、検出湿度を照明装置１Ａから受信する。記憶装置７５は、比較的大容量のストレージなどの記憶部であり、少なくとも第１の実施形態の記憶部４１と同様の動作を行うことができる。
【００５２】
処理装置８０Ａは、少なくとも計測部８１、積算値取得部８２及び報知決定部８３を含む。なお、処理装置８０Ａは、プロセッサ、ＣＰＵなどで構成され、上記各部以外にもプロセッサ、ＣＰＵなどの一般的な機能（通信制御、表示制御など）を実行可能なものとする。計測部８１、積算値取得部８２及び報知決定部８３の動作は、第１の実施形態の計測部４３、積算値取得部４４及び報知決定部４５の動作に実質的に対応する。
【００５３】
すなわち、積算値取得部８２は、通信部７０によって受信された検出湿度が閾値を超えたことに基づく計測値を積算し、その計測値の積算値を記憶装置７５に記憶させる。ここで、計測値の積算値は、第１の実施形態と同様に、（１）積算時間（検出湿度が閾値を超えた時間の積算値）、（２）積算回数（検出湿度が閾値を超えた回数の積算値）又は（３）湿度積分値（検出湿度が閾値を超えた時間にわたる検出湿度の積分値）であればよい。そして、報知決定部８３は、上記積算値が所定値に達した場合に報知情報を生成する。また、第１の実施形態と同様に、積算値取得部８２が上記（１）と同様に計測値として時間を取得するように構成される場合、報知決定部８３は、１回当たりの当該時間が限度値を超えた時点で異常の発生とみなして報知情報を生成するように構成されてもよい。表示装置９０は、報知決定部８３によって生成された報知情報を表示するためのコンピュータのディスプレイなどの画面である。
【００５４】
さらに、処理装置８０Ａは、制御回路４０Ａが減光制御部４６を含む場合には減光指令部８４を含んでいてもよい。減光指令部８４は、報知決定部８３による報知情報の生成に応じて減光指令を生成する。この場合、通信部７０が減光指令を送信し、通信部６０が減光指令を受信し、減光制御部４６が減光指令に応じて光源１０を減光点灯させるように点灯装置２０（駆動制御回路２３）を制御する。これにより、第１の実施形態の第２変形例と同様に、報知動作後における劣化の進行が軽減され、照明装置１Ａの修理又は交換までに発生し得る故障を防止することができる。
【００５５】
また、処理装置８０Ａは、制御回路４０Ａが消灯制御部４７を含む場合には消灯指令部８５を含んでいてもよい。消灯指令部８５は、報知情報の生成から所定時間の経過後に消灯指令を生成する。この場合、通信部７０が消灯指令を送信し、通信部６０が消灯指令を受信し、消灯制御部４７が消灯指令に応じて光源１０を消灯させるように点灯装置２０（駆動制御回路２３）を制御する。これにより、第１の実施形態の第２変形例と同様に、報知動作後において、照明装置１Ａの修理又は交換が遅延した場合に発生し得る故障の拡大を防止することができる。
【００５６】
以上のように、本実施形態の照明監視システム３は、照明装置１Ａ及びクラウドサーバ２Ａを備える。照明装置１Ａは、器具筐体１ｃと、器具筐体１ｃの内部に配置されてその外部を照射する光源１０と、器具筐体１ｃの内部に配置されて光源１０に電力を供給する点灯装置２０と、器具筐体１ｃの内部に配置されてその内部の湿度を検出して検出湿度を出力する湿度検出回路３０と、クラウドサーバ２Ａと通信可能に構成された通信部６０と、検出湿度を通信部６０からクラウドサーバ２Ａに送信させる通信制御部４８を含む制御回路４０Ａとを備える。クラウドサーバ２Ａは、照明装置１Ａと通信可能に構成されて検出湿度を照明装置１Ａから受信する通信部７０と、検出湿度が閾値を超えたことに基づく計測値の積算値を記憶装置７５に記憶させる積算値取得部８２及び積算値が所定値に達した場合に報知情報を生成する報知決定部８３を含む処理装置８０Ａと、報知情報を表示する表示装置９０とを備える。
【００５７】
このように、照明装置１Ａにおいて、器具筐体１ｃ内部の湿度が検出され、クラウドサーバ２Ａにおいて、検出湿度が閾値を超えたことに基づく計測値の積算値が所定値に達したことが特定された場合に報知情報が生成及び表示される。これにより、照明装置１Ａ内において湿気に起因して発生し得る劣化又は故障をクラウドサーバ２Ａにおいて高い精度で判定又は防止することができる照明監視システム３が実現される。
【００５８】
＜第３の実施形態＞
上記第２の実施形態では、検出湿度が照明装置からクラウドサーバに送信される構成を示したが、本実施形態では、検出湿度についての上記計測値の積算値が照明装置からクラウドサーバに送信される構成を示す。
【００５９】
図５に、本実施形態の照明監視システム３のブロック図を示す。本実施形態において、第１及び第２の実施形態と実質的に同様の構成には同じ符号を付し、重複する説明を省略又は簡略化する。照明監視システム３は、複数の照明装置１Ｂ及びクラウドサーバ２Ｂを含む。各照明装置１Ｂとクラウドサーバ２Ｂとは、ネットワークＮを介して通信可能に接続される。
【００６０】
照明装置１Ｂは、光源１０、点灯装置２０、湿度検出回路３０、制御回路４０Ｂ及び通信部６０（装置通信部）を備える。第１の実施形態の第１変形例と同様に、湿度検出回路３０又は制御回路４０Ｂは、点灯装置２０の筐体内に配置されてもよい。
【００６１】
制御回路４０ＢのＣＰＵ４２Ｂは、計測部４３、積算値取得部４４及び通信制御部４８を含み、必要に応じて減光制御部４６及び消灯制御部４７を含む。すなわち、積算値取得部４４は、湿度検出回路３０によって出力される検出湿度が閾値を超えたことに基づく計測値を計測部４３を用いて積算し、その計測値の積算値を記憶部４１に記憶させる。ここで、計測値の積算値は、第１の実施形態と同様に、（１）積算時間（検出湿度が閾値を超えた時間の積算値）、（２）積算回数（検出湿度が閾値を超えた回数の積算値）又は（３）湿度積分値（検出湿度が閾値を超えた時間にわたる検出湿度の積分値）であればよい。通信制御部４８は、記憶部４１に記憶された積算値をクラウドサーバ２Ｂに送信するように通信部６０を制御する。
【００６２】
クラウドサーバ２Ｂは、通信部７０（サーバ通信部）、記憶装置７５、処理装置８０Ｂ及び表示装置９０を備える。通信部７０は、ネットワークＮを介して照明装置１Ｂと通信可能に構成され、上記積算値を照明装置１Ｂから受信する。
【００６３】
処理装置８０Ｂは、少なくとも報知決定部８３を含む。さらに、第２の実施形態と同様に、処理装置８０Ｂは、制御回路４０Ｂが減光制御部４６を含む場合に減光指令部８４を含んでいてもよいし、制御回路４０Ｂが消灯制御部４７を含む場合に消灯指令部８５を含んでいてもよい。なお、なお、処理装置８０Ｂは、プロセッサ、ＣＰＵなどで構成され、上記各部以外にもプロセッサ、ＣＰＵなどの一般的な機能（通信制御、表示制御など）を実行可能なものとする。
【００６４】
報知決定部８３の動作は、第１の実施形態の報知決定部４５の動作に実質的に対応する。すなわち、報知決定部８３は、通信部７０によって受信された積算値が所定値に達した場合に報知情報を生成する。また、第１の実施形態と同様に、積算値取得部４４は上記（１）と同様に計測値として時間を取得するように構成される場合、当該時間が通信部６０から通信部７０に送信されるように構成され、報知決定部８３は、１回当たりの当該時間が限度値を超えた時点で異常の発生とみなして報知情報を生成するように構成されてもよい。
【００６５】
以上のように、本実施形態の照明監視システム３は、照明装置１Ｂ及びクラウドサーバ２Ｂを備える。照明装置１Ｂは、器具筐体１ｃと、器具筐体１ｃの内に配置されてその外部を照射する光源１０と、器具筐体１ｃの内部に配置されて光源に電力を供給する点灯装置２０と、器具筐体１ｃの内部に配置されてその内部の湿度を検出して検出湿度を出力する湿度検出回路３０と、クラウドサーバ２Ｂと通信可能に構成された通信部６０と、検出湿度が閾値を超えたことに基づく計測値の積算値を記憶部４１に記憶させる積算値取得部４４及び積算値を通信部６０からクラウドサーバ２Ｂに送信させる通信制御部４８を含む制御回路４０Ｂとを備える。クラウドサーバ２Ｂは、照明装置１Ｂと通信可能に構成されて積算値をクラウドサーバ２Ｂから受信する通信部７０と、積算値が所定値に達した場合に報知情報を生成する報知決定部８３を含む処理装置８０Ｂと、報知情報を表示する表示装置９０とを備える。
【００６６】
このように、照明装置１Ｂにおいて、器具筐体１ｃの内部の湿度が検出され、検出湿度が閾値を超えたことに基づく計測値の積算値が取得され、クラウドサーバ２Ｂにおいて、積算値が所定値に達したことが特定された場合に報知情報が生成及び表示される。これにより、照明装置１Ｂ内において湿気に起因して発生し得る劣化又は故障をクラウドサーバ２Ｂにおいて高い精度で判定又は防止することができる照明監視システム３が実現される。さらに、検出湿度が閾値を超える場合にのみ照明装置１Ｂからクラウドサーバ２Ｂへの通信が行われるので、第２の実施形態の場合と比較して通信量が軽減される。
【００６７】
＜変形例＞
以上に本発明の好適な実施形態を示したが、本発明は、例えば以下に示すように種々の態様に変形可能である。
【００６８】
（１）光源１０に関する変形
上記各実施形態では、光源１０がＬＥＤモジュールであるものとして説明したが、光源１０はこれに限られない。例えば、光源１０は、有機ＥＬ、放電灯などの他の種類の光源であってもよい。その場合、点灯装置２０（特に、電力変換回路２２）として、採用される光源１０に適合した点灯装置が適用されるものとする。
【００６９】
（２）湿度検出回路３０の設置数
上記各実施形態では、１つの照明装置１、１Ａ又は１Ｂに１つの湿度検出回路３０が設けられる構成を示したが、１つの照明装置１、１Ａ又は１Ｂに複数の湿度検出回路３０が設けられてもよい。例えば、点灯装置２０の筐体２０ｃの内部に配置されて第１の検出湿度を出力する第１の湿度検出回路３０、及び光源１０の付近に配置されて第２の検出湿度を出力する第２の湿度検出回路３０が設けられてもよい。この場合、積算値取得部４４又は８２は、第１の検出湿度が第１の閾値を超えたことに基づく計測値の第１の積算値及び第２の検出湿度が第２の閾値を超えたことに基づく計測値の第２の積算値を記憶部４１又は記憶装置７５に記憶させる。報知決定部４５又は８３は、第１の積算値が第１の所定値に達した結果と第２の積算値が第２の積算値に達した結果の論理和に基づいて報知信号又は報知情報を生成する。ここで、第１の閾値と第２の閾値とは同じであってもよいし、異なっていてもよい。また、第１の積算値の種類（すなわち、積算時間、積算回数又は湿度積分値）と第２の積算値の種類は同じであってもよいし、異なっていてもよい。また、第１の所定値と第２の所定値とは同じであってもよいし、異なっていてもよい。
【符号の説明】
【００７０】
１、１Ａ、１Ｂ  照明装置
１ｃ  器具筐体
２Ａ、２Ｂ  クラウドサーバ
３  照明監視システム
１０  光源
２０  点灯装置
２０ｃ  筐体
３０  湿度検出回路
４０、４０Ａ、４０Ｂ  制御回路
４１  記憶部
４４  積算値取得部
４５  報知決定部
４６  減光制御部
４７  消灯制御部
４８  通信制御部
５０  報知部
６０  通信部（装置通信部）
７０  通信部（サーバ通信部）
７５  記憶装置
８０Ａ、８０Ｂ  処理装置
８２  積算値取得部
８３  報知決定部
８４  減光指令部
８５  消灯指令部
９０  表示装置
【図１】
2019160594.tif 000003
【図２】
2019160594.tif 000004
【図３】
2019160594.tif 000005
【図４】
2019160594.tif 000006
【図５】
2019160594.tif 000007